(57)【要約】  【課題】  コンテンツの関連情報を簡易且つ迅速に確認可能なコンテンツ提供装置を提供する。  【解決手段】  コンテンツ提供装置１００は、コンテンツの提供処理を行う制御ユニット１０と、当該コンテンツの提供処理の際に、発話スイッチ２０の押下に応じてマイク３０によって集音された音声を認識する音声認識エンジン１６と、音声認識結果に基づいてコンテンツのタイトルを読み上げる処理を行う読み上げ制御部１２と、読み上げ処理に応じた音声を合成し、その合成した音声をスピーカ４０から出力する処理を行う音声合成エンジン１８とを有する。【選択図】  図１
2006227225.tif 000002
【特許請求の範囲】
【請求項１】
コンテンツの提供処理を行うコンテンツ提供処理手段と、
前記コンテンツ提供処理手段による前記コンテンツの提供処理の際に、前記コンテンツの関連情報を読み上げて音声出力を行う関連情報読み上げ手段とを有することを特徴とするコンテンツ提供装置。
【請求項２】
前記関連情報読み上げ手段に対して前記コンテンツの関連情報の読み上げを指示する読み上げ指示手段を有し、
前記関連情報読み上げ手段は、前記読み上げ指示手段による指示に応じて前記コンテンツの関連情報を読み上げて音声出力を行うことを特徴とする請求項１に記載のコンテンツ提供装置。
【請求項３】
音を認識する音認識手段を有し、
前記関連情報読み上げ手段は、前記音認識手段により認識された音に関連する前記コンテンツの関連情報を読み上げて音声出力を行うことを特徴とする請求項１又は２に記載のコンテンツ提供装置。
【請求項４】
前記コンテンツ提供処理手段は、前記関連情報読み上げ手段によって前記コンテンツの関連情報が読み上げられて音声出力が行われている間、前記コンテンツの提供処理を中断することを特徴とする請求項１乃至３のいずれかに記載のコンテンツ提供装置。
【請求項５】
前記コンテンツ提供処理手段は、前記コンテンツにおける中断時に提供処理されていた部分の手前から提供処理を再開することを特徴とする請求項４に記載のコンテンツ提供装置。
【請求項６】
前記コンテンツ提供処理手段は、前記関連情報読み上げ手段によって前記コンテンツの関連情報が読み上げられて音声出力が行われている間、前記コンテンツの提供処理の音量を低下させることを特徴とする請求項１乃至３のいずれかに記載のコンテンツ提供装置。
【請求項７】
前記関連情報読み上げ手段によって前記コンテンツの関連情報が読み上げられて音声出力が行われる際に、前記コンテンツの関連情報に対応する画像を表示する関連情報表示手段を有することを特徴とする請求項１乃至６のいずれかに記載のコンテンツ提供装置。
【請求項８】
前記コンテンツ提供処理手段は、ナビゲーション装置におけるコンテンツの提供処理を行い、
前記関連情報読み上げ手段は、前記ナビゲーション装置におけるコンテンツのタイトル情報を読み上げて音声出力を行うことを特徴とする請求項１乃至７のいずれかに記載のコンテンツ提供装置。
【請求項９】
前記ナビゲーション装置におけるコンテンツは、観光案内情報であることを特徴とする請求項８に記載のコンテンツ提供装置。
【請求項１０】
前記ナビゲーション装置におけるコンテンツは、地点情報であることを特徴とする請求項８に記載のコンテンツ提供装置。
【請求項１１】
前記関連情報読み上げ手段は、施設名、住所、郵便番号、電話番号及び情報作成日時の少なくともいずれかを読み上げて音声出力を行うことを特徴とする請求項１０に記載のコンテンツ提供装置。
【請求項１２】
前記コンテンツ提供処理手段は、記録媒体に記録されたコンテンツの提供処理を行い、
前記関連情報読み上げ手段は、前記記録媒体に記録されたコンテンツのタイトル情報を読み上げて音声出力を行うことを特徴とする請求項１乃至７のいずれかに記載のコンテンツ提供装置。
【請求項１３】
前記コンテンツ提供処理手段は、電子メール受信装置における電子メールの本文の提供処理を行い、
前記関連情報読み上げ手段は、前記電子メールのタイトル、送信者、受信日時及び添付ファイルの有無情報の少なくともいずれかを読み上げて音声出力を行うことを特徴とする請求項１乃至７のいずれかに記載のコンテンツ提供装置。
【請求項１４】
前記コンテンツ提供処理手段は、放送受信機における放送の提供処理を行い、
前記関連情報読み上げ手段は、前記放送のタイトルを読み上げて音声出力を行うことを特徴とする請求項１乃至７のいずれかに記載のコンテンツ提供装置。
【請求項１５】
コンテンツの提供処理を行うステップと、
前記コンテンツの提供処理の際に、前記コンテンツの関連情報を読み上げて音声出力を行う関連情報読み上げステップとを有することを特徴とするコンテンツ提供方法。
【発明の詳細な説明】
【技術分野】
【０００１】
本発明は、各種のコンテンツを提供するコンテンツ提供装置及び方法に関する。
【背景技術】
【０００２】
従来、車両に搭載されるナビゲーション装置には、ニュース記事や地点情報等の各種のコンテンツを提供する機能を有するものが存在する（例えば特許文献１参照）。更に、このようなコンテンツ提供を行うナビゲーション装置には、利用者が車両を運転することを考慮して、コンテンツをディスプレイに表示するのみならず、コンテンツを読み上げて音声出力を行うものもある。
【特許文献１】特開２００４−３０９１８３号公報
【発明の開示】
【発明が解決しようとする課題】
【０００３】
しかしながら、従来のコンテンツ提供を行うナビゲーション装置では、利用者は、コンテンツの関連情報、例えば、コンテンツのタイトルを確認したいような場合、読み上げ処理の終了を待って、ディスプレイのコンテンツの一覧を表示させ、更にいずれかのコンテンツを選択して再度の読み上げ処理を行わせたり、読み上げ処理を停止させ、更にディスプレイにコンテンツのタイトルを表示させる等の操作が必要であった。このため、簡易且つ迅速にコンテンツの関連情報を確認することができなかった。
【０００４】
本発明の目的は、上述した問題を解決するものであり、コンテンツの関連情報を簡易且つ迅速に確認可能なコンテンツ提供装置を提供するものである。
【課題を解決するための手段】
【０００５】
本発明は、コンテンツの提供処理を行うコンテンツ提供処理手段と、前記コンテンツ提供処理手段による前記コンテンツの提供処理の際に、前記コンテンツの関連情報を読み上げて音声出力を行う関連情報読み上げ手段とを有するコンテンツ提供装置である。
【０００６】
この構成により、コンテンツの提供とともに、当該コンテンツの関連情報の音声出力も可能となり、利用者は、コンテンツの関連情報を簡易且つ迅速に確認することが可能となる。
【０００７】
また、本発明に係るコンテンツ提供装置は、前記関連情報読み上げ手段に対して前記コンテンツの関連情報の読み上げを指示する読み上げ指示手段を有し、前記関連情報読み上げ手段は、前記読み上げ指示手段による指示に応じて前記コンテンツの関連情報を読み上げて音声出力を行う。
【０００８】
この構成により、利用者の指示に応じてコンテンツ関連情報の音声出力を行うことが可能となる。
【０００９】
また、本発明に係るコンテンツ提供装置は、音を認識する音認識手段を有し、前記関連情報読み上げ手段が、前記音認識手段により認識された音に関連する前記コンテンツの関連情報を読み上げて音声出力を行う。
【００１０】
この構成により、利用者の音声による指示に応じてコンテンツ関連情報の音声出力を行うことが可能となる。
【００１１】
また、本発明に係るコンテンツ提供装置は、前記コンテンツ提供処理手段が、前記関連情報読み上げ手段によって前記コンテンツの関連情報が読み上げられて音声出力が行われている間、前記コンテンツの提供処理を中断する。
【００１２】
この構成により、利用者は、コンテンツ関連情報の音声を聴きやすくなる。
【００１３】
また、本発明に係るコンテンツ提供装置は、前記コンテンツ提供処理手段が、前記コンテンツにおける中断時に提供処理されていた部分の手前から提供処理を再開する。
【００１４】
この構成により、例えば、コンテンツが文字情報の場合には、中断時に提供されていた部分の手前にある文節の先頭から提供処理が開始されるようにすることができ、コンテンツの提供が中断される場合においても、利用者は、コンテンツの内容を把握しやすくなる。
【００１５】
また、本発明に係るコンテンツ提供装置は、前記コンテンツ提供処理手段が、前記関連情報読み上げ手段によって前記コンテンツの関連情報が読み上げられて音声出力が行われている間、前記コンテンツの提供処理の音量を低下させる。
【００１６】
この構成により、利用者は、コンテンツ関連情報の音声を聴きやすくなる。
【００１７】
また、本発明に係るコンテンツ提供装置は、前記関連情報読み上げ手段によって前記コンテンツの関連情報が読み上げられて音声出力が行われる際に、前記コンテンツの関連情報に対応する画像を表示する関連情報表示手段を有する。
【００１８】
また、本発明に係るコンテンツ提供装置は、前記コンテンツ提供処理手段が、ナビゲーション装置におけるコンテンツの提供処理を行い、前記関連情報読み上げ手段が、前記ナビゲーション装置におけるコンテンツのタイトル情報を読み上げて音声出力を行う。
【００１９】
また、本発明に係るコンテンツ提供装置は、前記ナビゲーション装置におけるコンテンツが、観光案内情報及び地点情報のいずれかである。
【００２０】
また、本発明に係るコンテンツ提供装置は、前記ナビゲーション装置におけるコンテンツが地点情報の場合、前記関連情報読み上げ手段が、住所、郵便番号、電話番号及び情報作成日時の少なくともいずれかを読み上げて音声出力を行う。
【００２１】
また、本発明に係るコンテンツ提供装置は、前記コンテンツ提供処理手段が、記録媒体に記録されたコンテンツの提供処理を行い、前記関連情報読み上げ手段が、前記記録媒体に記録されたコンテンツのタイトル情報を読み上げて音声出力を行う。
【００２２】
また、本発明に係るコンテンツ提供装置は、前記コンテンツ提供処理手段が、電子メール受信装置における電子メールの本文の提供処理を行い、前記関連情報読み上げ手段が、前記電子メールのタイトル、送信者、受信日時及び添付ファイルの有無情報の少なくともいずれかを読み上げて音声出力を行う。
【００２３】
また、本発明に係るコンテンツ提供装置は、前記コンテンツ提供処理手段が、放送受信機における放送の提供処理を行い、前記関連情報読み上げ手段が、前記放送のタイトルを読み上げて音声出力を行う。
【００２４】
本発明は、コンテンツの提供処理を行うステップと、前記コンテンツの提供処理の際に、前記コンテンツの関連情報を読み上げて音声出力を行う関連情報読み上げステップとを有するコンテンツ提供方法である。
【発明の効果】
【００２５】
本発明によれば、コンテンツの提供とともに、当該コンテンツの関連情報の音声出力も可能となり、利用者は、コンテンツの関連情報を簡易且つ迅速に確認することが可能となる。
【発明を実施するための最良の形態】
【００２６】
以下、本発明の実施の形態について、図面を参照して具体的に説明する。
【００２７】
図１は、コンテンツ提供装置の構成を示す図である。同図に示すコンテンツ提供装置１００は、例えば車両に搭載されたナビゲーション装置であり、制御ユニット１０、発話スイッチ２０、マイク３０、スピーカ４０及びディスプレイ５０により構成される。これらのうち、制御ユニット１０は、読み上げ制御部１２、メモリ１４、音声認識エンジン１６及び音声合成エンジン１８により構成される。
【００２８】
制御ユニット１０は、メモリ１４等に記憶されたコンテンツデータを読み出し、利用者にコンテンツを提供する処理を行う。図２は、コンテンツデータの一例を示す図である。同図に示すコンテンツデータは、文字情報等のコンテンツそのものと、当該コンテンツのタイトル等のコンテンツに関連する情報とによって構成される。例えば、コンテンツが文字情報である場合には、制御ユニット１０は、その文字情報を読み上げ、スピーカ４０から音声を出力する処理を行う。
【００２９】
制御ユニット１０内の読み上げ制御部１２は、コンテンツデータに含まれるコンテンツの関連情報を読み上げる処理を行う。音声認識エンジン１６は、音声認識辞書を内蔵しており、発話スイッチ２０が押下された場合に、音声認識辞書に基づいて、マイク３０によって集音された音声を認識する。音声合成エンジン１８は、読み上げ制御部１２の読み上げ処理に応じた音声を合成し、その合成した音声をスピーカ４０から出力する処理を行う。
【００３０】
次に、フローチャートを参照しつつ、コンテンツ提供装置１００の動作を説明する。図２は、コンテンツ提供装置１００の動作を示すフローチャートである。なお、以下においては、コンテンツ提供装置１００が音声にてコンテンツである観光案内を提供する機能を搭載しており、コンテンツ関連情報がその観光案内のタイトルである場合を例に説明する。
【００３１】
制御ユニット１０は、メモリ１４等に記憶された観光案内に関するコンテンツデータを読み出し（Ｓ１０１）、スピーカ４０から観光案内の音声を出力する処理を開始する（Ｓ１０２）。次に、制御ユニット１０は、発話スイッチ２０が押下されたか否かを判定する（Ｓ１０３）。
【００３２】
利用者によって発話スイッチ２０が押下された場合、音声認識エンジン１６は、マイク３０によって集音された音声の認識を行う（Ｓ１０４）。次に、音声認識エンジン１６は、内蔵する読み上げ専用音声認識辞書を展開する（Ｓ１０５）。
【００３３】
更に、音声認識エンジン１６は、Ｓ１０４における音声認識結果を検索し（Ｓ１０６）、音声認識結果が読み上げ専用音声認識辞書にヒットしたか否かを判定する（Ｓ１０７）。図４は、読み上げ専用音声認識辞書の一例を示す図である。同図に示すように、読み上げ専用音声認識辞書には認識すべき音声である「タイトル」に対応する情報が含まれている。音声認識エンジン１６は、音声認識結果が読み上げ専用音声認識辞書の情報と一致する「タイトル」である場合には、音声認識結果がヒットしたと判定する。
【００３４】
音声認識結果が読み上げ専用音声認識辞書にヒットした場合、換言すれば、音声認識結果が「タイトル」である場合には、制御ユニット１０は、スピーカ４０から観光案内の音声を出力する処理を中断する（Ｓ１０８）。
【００３５】
次に、読み上げ制御部１２は、観光案内の音声出力の対象となっていたコンテンツデータに含まれるコンテンツ関連情報内のタイトル情報を読み上げる処理を行う。音声合成エンジン１８は、読み上げ制御部１２の読み上げ処理に応じた音声を合成し、その合成した音声をスピーカ４０から出力する処理を行う（Ｓ１０９）。なお、制御ユニット１０は、タイトルの音声を出力する処理とともに、例えば、車両が停止中の場合には、タイトルの画像をディスプレイ５０に表示する処理を行うようにしても良い。
【００３６】
タイトル部分の読み上げ終了後、制御ユニット１０は、スピーカ４０から観光案内の音声を出力する処理を再開する（Ｓ１１０）。なお、Ｓ１１０におけるコンテンツ音声を出力する処理の再開において、制御ユニット１０は、中断時に出力されていた部分の手前、具体的には、中断時に出力されていた部分の手前にある文節の先頭から観光案内の音声の出力を再開するようにしても良い。これにより、観光案内の音声の出力が中断された場合においても、利用者は、コンテンツの内容を把握しやすくなる。
【００３７】
一方、Ｓ１０７において、音声認識結果が読み上げ専用音声認識辞書にヒットしないと判定された場合、換言すれば、音声認識結果が「タイトル」でない場合には、音声認識エンジン１６は、内蔵する従来の音声認識辞書を展開する（Ｓ１１１）。更に、音声認識エンジン１６は、Ｓ１０３における音声認識結果を従来の音声認識辞書から検索する（Ｓ１１２）。
【００３８】
次に、制御ユニット１０は、音声認識結果に対応する処理を行う（Ｓ１１３）。例えば、音声認識結果が「現在地」の場合には、制御ユニット１０は、現在地に対応する文字情報を読み上げ、スピーカ４０からその読み上げ音声を出力する処理を行う。また、音声認識結果が「目的地」の場合には、現在地に対応する文字情報を読み上げ、スピーカ４０からその読み上げ音声を出力する処理を行うとともに、目的地周辺の地図画像をディスプレイ５０に表示する処理を行う。
【００３９】
このように、コンテンツ提供装置１００は、コンテンツである観光案内の音声の出力中に発話スイッチ２０が押下された場合、マイク３０が集音した音声を認識し、その音声認識結果が「タイトル」である場合には、観光案内の音声を出力する処理を中断し、コンテンツデータに含まれるコンテンツ関連情報内のタイトルを読み上げて音声を出力する処理を行う。従って、観光案内の音声出力のみならず、当該観光案内のタイトルの音声出力も可能となり、利用者は、観光案内のタイトルを簡易且つ迅速に確認することが可能となる。しかも、観光案内のタイトルの音声が出力されている間は、観光案内の音声出力が中断されるため、利用者は、所望する観光案内のタイトルの音声を聴きやすくなる。
【００４０】
なお、上述した実施形態では、読み上げ制御部１２がコンテンツのタイトルを読み上げる処理を行う際に、制御ユニット１０は、コンテンツ音声を出力する処理を中断したが、コンテンツ音声の音量を小さくする処理を行っても良い。この場合にも、利用者は、コンテンツのタイトルの音声を聴きやすくなる。あるいは、コンテンツ音声の出力が終了する直前にタイトルの読み上げが指示されたような場合には、コンテンツ音声の出力終了後に、タイトルの読み上げが行われるようにしても良い。
【００４１】
また、上述した実施形態では、利用者によって発話スイッチ２０が押下された後にマイク３０によって集音された音声によって、コンテンツのタイトルの読み上げが指示される形態となっているが、図５に示すコンテンツ提供装置２００のように読み上げ指示のための操作キー６０を設け、コンテンツ音声の出力中に、そのキーが利用者によって押下された場合に、コンテンツのタイトルの読み上げが行われるようにしたり、ディスプレイ５０の画面をタッチパネル式にしておき、利用者が画面の所定の箇所に触れた場合に、コンテンツのタイトルの読み上げが行われるようにしても良い。
【００４２】
また、上述した実施形態では、観光案内の関連情報としてのタイトルを読み上げる場合について説明したが、観光案内の関連情報としての施設名等の観光施設に関連する各種情報を読み上げて音声出力するようにしても良い。この場合には、コンテンツ関連情報に観光施設に関連する各種情報を含まれるとともに、読み上げ専用音声認識辞書に認識すべき音声である「観光施設」等に対応する情報が含まれる。そして、コンテンツ提供装置１００は、観光施設の音声を出力している時に、利用者の音声の認識結果が「観光施設」等であった場合には、その音声出力を中断し、施設名等の観光施設に関連する各種情報を読み上げて音声出力する。
【００４３】
また、上述した観光案内以外の様々なコンテンツの提供において、本発明を適用することができる。例えば、コンテンツ提供装置１００が地点情報を提供する機能を搭載している場合には、地点情報を読み上げて音声を出力するとともに、地点の住所、郵便番号、電話番号等の地点情報やその地点情報の作成日時等の地点情報に関連する各種情報を読み上げて音声出力することができる。この場合には、コンテンツ関連情報に地点情報に関連する各種情報が含まれ、読み上げ専用音声認識辞書に認識すべき音声である「住所」、「電話番号」等に対応する情報が含まれる。そして、コンテンツ提供装置１００は、地点情報の音声を出力している時に、利用者の音声の認識結果が「住所」等であった場合には、その音声出力を中断し、住所等の地点情報に関連する各種情報を読み上げて音声出力する。
【００４４】
あるいは、コンテンツがコンパクトディスク（ＣＤ）に記憶された音楽の場合には、図６に示すコンテンツ提供装置３００のように、制御ユニット１０内にＣＤ読取部７０を設ける。
【００４５】
図７は、コンテンツ提供装置３００の動作を示すフローチャートである。制御ユニット１０内のＣＤ読取部７０は、ＣＤに記憶されたコンテンツデータを読み出し（Ｓ２０１）、スピーカ４０からＣＤ音声を出力する処理を開始する（Ｓ２０２）。コンテンツデータ内のコンテンツ関連情報には、ＣＤのタイトル情報が含まれる。なお、コンテンツ提供装置１００は、無線通信等により外部のサーバに接続して、コンテンツ関連情報であるタイトル情報を取得するようにしても良い。
【００４６】
その後は、図３のＳ１０３乃至Ｓ１０７と同様の動作が行われる。すなわち、制御ユニット１０は、発話スイッチ２０が押下されたか否かを判定し（Ｓ２０３）、押下された場合には、音声認識エンジン１６は、マイク３０によって集音された音声の認識を行う（Ｓ２０４）。次に、音声認識エンジン１６は、内蔵する読み上げ専用音声認識辞書を展開し（Ｓ２０５）、Ｓ２０４における音声認識結果を検索することにより（Ｓ２０６）、音声認識結果が読み上げ専用音声認識辞書にヒットしたか否かを判定する（Ｓ２０７）。読み上げ専用音声認識辞書には認識すべき音声である「タイトル」に対応する情報が含まれている。
【００４７】
音声認識結果が読み上げ専用音声認識辞書にヒットした場合、制御ユニット１０は、スピーカ４０からＣＤ音声を出力する処理を中断する（Ｓ２０８）。なお、Ｓ２０３乃至Ｓ２０７の代わりに、制御ユニット１０が操作キー６０が押下されたか否かを判定し、押下された場合にＣＤ音声を出力する処理を中断するようにしても良い。次に、読み上げ制御部１２は、ＣＤ音声出力の対象となっていたコンテンツデータに含まれるコンテンツ関連情報内のタイトル情報を読み上げ、音声合成エンジン１８は、この読み上げ処理に応じた音声を合成し、その合成した音声をスピーカ４０から出力する処理を行う（Ｓ２０９）。その後、制御ユニット１０は、スピーカ４０からＣＤ音声を出力する処理を再開する（Ｓ２１０）。この際、コンテンツ提供装置１００は、中断箇所から再生を再開しても良く、中断箇所の手前から再生を再開するようにしても良い。
【００４８】
一方、Ｓ２０７において、音声認識結果が読み上げ専用音声認識辞書にヒットしないと判定された場合には、図３のＳ１１１乃至Ｓ１１３と同様の動作が行われる。すなわち、音声認識エンジン１６は、内蔵する従来の音声認識辞書を展開し（Ｓ２１１）、Ｓ２０３における音声認識結果を従来の音声認識辞書から検索する（Ｓ２１２）。そして、制御ユニット１０は、音声認識結果に対応する処理を行う（Ｓ２１３）。
【００４９】
また、コンテンツが電子メールの本文の場合には、図８に示すコンテンツ提供装置４００のように、制御ユニット１０内に電子メール受信部８０を設ける。
【００５０】
図９は、コンテンツ提供装置４００の動作を示すフローチャートである。制御ユニット１０内の電子メール受信部８０は、コンテンツデータとしての電子メールを受信し（Ｓ３０１）、スピーカ４０から電子メール本文の音声を出力する処理を開始する（Ｓ３０２）。コンテンツデータである電子メールには、コンテンツ関連情報としてタイトル情報が含まれる。
【００５１】
その後は、図３のＳ１０３乃至Ｓ１０７と同様の動作が行われる。すなわち、制御ユニット１０は、発話スイッチ２０が押下されたか否かを判定し（Ｓ３０３）、押下された場合には、音声認識エンジン１６は、マイク３０によって集音された音声の認識を行う（Ｓ３０４）。次に、音声認識エンジン１６は、内蔵する読み上げ専用音声認識辞書を展開し（Ｓ３０５）、Ｓ３０４における音声認識結果を検索することにより（Ｓ３０６）、音声認識結果が読み上げ専用音声認識辞書にヒットしたか否かを判定する（Ｓ３０７）。読み上げ専用音声認識辞書には認識すべき音声である「タイトル」に対応する情報が含まれている。
【００５２】
音声認識結果が読み上げ専用音声認識辞書にヒットした場合、制御ユニット１０は、スピーカ４０から電子メール本文の音声を出力する処理を中断する（Ｓ３０８）。なお、Ｓ３０３乃至Ｓ３０７の代わりに、制御ユニット１０が操作キー６０が押下されたか否かを判定し、押下された場合に電子メール本文の音声を出力する処理を中断するようにしても良い。次に、読み上げ制御部１２は、電子メール本文の音声出力の対象となっていたコンテンツデータである電子メールに含まれるコンテンツ関連情報内のタイトル情報を読み上げ、音声合成エンジン１８は、この読み上げ処理に応じた音声を合成し、その合成した音声をスピーカ４０から出力する処理を行う（Ｓ３０９）。その後、制御ユニット１０は、スピーカ４０から電子メール本文の音声を出力する処理を再開する（Ｓ３１０）。
【００５３】
一方、Ｓ３０７において、音声認識結果が読み上げ専用音声認識辞書にヒットしないと判定された場合には、図３のＳ１１１乃至Ｓ１１３と同様の動作が行われる。
【００５４】
なお、コンテンツ関連情報に、送信者、受信日時、添付ファイルの有無等の電子メールに関連する各種情報が含まれるようにするとともに、読み上げ専用音声認識辞書にこれらに対応する情報が含まれるようにし、コンテンツ提供装置１００が、電子メール本文の音声を出力している時に、利用者の音声の認識結果が「送信者」等であった場合には、その音声出力を中断し、送信者等の電子メールに関連する各種情報を読み上げて音声出力するようにしても良い。
【００５５】
また、コンテンツがテレビやラジオ等の放送の場合には、図１０に示すコンテンツ提供装置５００のように、制御ユニット１０内に放送受信部９０を設ける。
【００５６】
図１１は、コンテンツ提供装置５００の動作を示すフローチャートである。制御ユニット１０内の放送受信部９０は、コンテンツデータとしての放送データを受信し（Ｓ４０１）、スピーカ４０から放送音声を出力する処理を開始する（Ｓ４０２）。コンテンツデータである放送データには、コンテンツそのものの映像や音声とともに、コンテンツ関連情報としてタイトル情報が含まれる。
【００５７】
その後は、図３のＳ１０３乃至Ｓ１０７と同様の動作が行われる。すなわち、制御ユニット１０は、発話スイッチ２０が押下されたか否かを判定し（Ｓ４０３）、押下された場合には、音声認識エンジン１６は、マイク３０によって集音された音声の認識を行う（Ｓ４０４）。次に、音声認識エンジン１６は、内蔵する読み上げ専用音声認識辞書を展開し（Ｓ４０５）、Ｓ４０４における音声認識結果を検索することにより（Ｓ４０６）、音声認識結果が読み上げ専用音声認識辞書にヒットしたか否かを判定する（Ｓ４０７）。読み上げ専用音声認識辞書には認識すべき音声である「タイトル」に対応する情報が含まれている。
【００５８】
音声認識結果が読み上げ専用音声認識辞書にヒットした場合、制御ユニット１０は、スピーカ４０から放送音声を出力する処理を中断する（Ｓ４０８）。なお、Ｓ４０３乃至Ｓ４０７の代わりに、制御ユニット１０が操作キー６０が押下されたか否かを判定し、押下された場合に放送音声を出力する処理を中断するようにしても良い。次に、読み上げ制御部１２は、放送音声出力の対象となっていたコンテンツデータである放送データに含まれるコンテンツ関連情報内のタイトル情報を読み上げ、音声合成エンジン１８は、この読み上げ処理に応じた音声を合成し、その合成した音声をスピーカ４０から出力する処理を行う（Ｓ４０９）。その後、制御ユニット１０は、スピーカ４０から放送音声を出力する処理を再開する（Ｓ４１０）。
【００５９】
一方、Ｓ４０７において、音声認識結果が読み上げ専用音声認識辞書にヒットしないと判定された場合には、図３のＳ１１１乃至Ｓ１１３と同様の動作が行われる。
【００６０】
なお、コンテンツ関連情報に、送信者、受信日時、添付ファイルの有無等の電子メールに関連する各種情報が含まれるようにするとともに、読み上げ専用音声認識辞書にこれらに対応する情報が含まれるようにし、コンテンツ提供装置１００が、電子メール本文の音声を出力している時に、利用者の音声の認識結果が「送信者」等であった場合には、その音声出力を中断し、送信者等の電子メールに関連する各種情報を読み上げて音声出力するようにしても良い。
【産業上の利用可能性】
【００６１】
以上、説明したように、本発明に係るコンテンツ提供装置は、コンテンツの関連情報を簡易且つ迅速に確認可能であり、コンテンツ提供装置として有用である。
【図面の簡単な説明】
【００６２】
【図１】第１のコンテンツ提供装置の構成を示す図である。
【図２】コンテンツデータの一例を示す図である。
【図３】第１のコンテンツ提供装置の動作を示すフローチャートである。
【図４】読み上げ専用音声認識辞書の一例を示す図である。
【図５】第２のコンテンツ提供装置の構成を示す図である。
【図６】第３のコンテンツ提供装置の構成を示す図である。
【図７】第３のコンテンツ提供装置の動作を示すフローチャートである。
【図８】第４のコンテンツ提供装置の構成を示す図である。
【図９】第４のコンテンツ提供装置の動作を示すフローチャートである。
【図１０】第５のコンテンツ提供装置の構成を示す図である。
【図１１】第５のコンテンツ提供装置の動作を示すフローチャートである。
【符号の説明】
【００６３】
１００、２００、３００、４００、５００  コンテンツ提供装置
１０  制御ユニット
１２  読み上げ制御部
１４  メモリ
１６  音声認識エンジン
１８  音声合成エンジン
２０  発話スイッチ
３０  マイク
４０  スピーカ
５０  ディスプレイ
６０  操作キー
７０  ＣＤ読取部
８０  電子メール受信部
９０  放送受信部
【図１】
2006227225.tif 000003
【図２】
2006227225.tif 000004
【図３】
2006227225.tif 000005
【図４】
2006227225.tif 000006
【図５】
2006227225.tif 000007
【図６】
2006227225.tif 000008
【図７】
2006227225.tif 000009
【図８】
2006227225.tif 000010
【図９】
2006227225.tif 000011
【図１０】
2006227225.tif 000012
【図１１】
2006227225.tif 000013